(57)【特許請求の範囲】
【請求項１】
郵便用封筒などの袋体を連続的に形成して製袋する製袋機で、かつ製袋された袋体を、回転するデリバリードラムの回転方向の上流側周面に搬送し、該デリバリードラムの回転により、該デリバリードラムの外周に設けた保持手段にて保持して回転移送し、該デリバリードラムの回転方向下流側に設けられた整列台に整列するようにした製袋機において、
該デリバリードラムの保持手段に、該保持手段にて保持される袋体をデリバリードラムの回転軸線方向にスライドするスライド部が設けられることを特徴とする製袋機。
【請求項２】
保持手段に、この保持手段に保持される袋体を吸引する吸着孔を設けたことを特徴とする請求項１記載の製袋機。
【請求項３】
保持手段を、デリバリードラムに配される挟持爪にて構成したことを特徴とする請求項１記載の製袋機。
【請求項４】
保持手段には、デリバリードラムの回転軸線と略平行な切欠が配され、該切欠が、デリバリードラムの外周における接線方向に略平行な吸着面を有し、該吸着面にスライド部が配されて、該スライド部に吸着孔が開孔されることを特徴とする請求項１または２記載の製袋機。
【請求項５】
前記デリバリードラムには、前記吸着孔により袋体を吸引させて止着する減圧手段と、かつ、整列台付近において袋体の止着を解除して吸着孔より気体を噴出して袋体を整列させる加圧手段とを具備する圧力切替手段が配されることを特徴とする請求項２または４のいずれか記載の製袋機。
【請求項６】
スライド部が、デリバリードラムの回転軸線方向にスライド自在として切欠内部に取り付けられ、その表面には、デリバリードラムの半径方向と略平行に貫通状態とされる複数の吸着穴が配され、吸着穴は、スライド部のスライド時にも、圧力切替手段に接続可能とされることを特徴とする請求項１，２，４または５のいずれか記載の製袋機。
【請求項７】
スライド部には、デリバリードラムの側方にデリバリードラムの回転軸線と略平行に突出するブラケットが一体として接続され、該ブラケット先端には、カムフォロアが回転可能に取り付けられ、該カムフォロアが、デリバリードラムの回転軸方向の側方に配されたカムに当接してスライド部をデリバリードラムの回転軸方向にスライドさせることを特徴とする請求項１，２，４、５または６のいずれか記載の製袋機。
【請求項８】
カムは、デリバリードラムの側面と略平行に位置する平板形状とされて、該カムの上側には、カムフォロアを導くためのデリバリードラムの回転方向とされる上方から下方に向かってデリバリードラム側に傾斜する傾斜部が設けられることを特徴とする請求項７記載の製袋機。
【請求項９】
カムには、封筒がデリバリードラムの整列位置に位置しカムがカムフォロアに当接しない状態と、カムに当接したカムフォロアによりスライド部がカムと逆側に押圧されて封筒がデリバリードラムの整列位置からカムと逆側に移動されて位置しカムがカムフォロアに当接する状態とを切替可能なカム位置設定部が配されることを特徴とする請求項７または８のいずれか記載の製袋機。
【発明の詳細な説明】
【０００１】
【発明の属する技術分野】
本発明は、例えば、郵便用封筒などを連続的に形成する製袋機に関するものである。
【０００２】
【従来の技術】
この種の袋体（封筒）等を形成する製袋機では、ロール状とされた連続する袋用紙Ｒを順次搬送し、この搬送途中に、図７に示すように、カット部Ｃを切り取って側折返部Ｂ１および底折返部Ｂ２を形成し、該側折返部Ｂ１に糊付けするとともに折返線Ｌ１から折り返して貼り合わせた後、切断線Ｌ２から切断して底折線Ｌ３から底折返部Ｂ２を折り返して貼り付けることにより封筒を形成していた。
【０００３】
この形成された封筒を整列して排出し、かつ例えば１００枚とされる所定数ごとに、整列位置をずらすことにより、製造枚数のカウントを行っていた。
この際、図８に示すように、装置下流に位置し捕捉爪Ｚ１を有するデリバリードラムＺにより整列し、かつ所定数カウント時には、図示しない押し出し機構により封筒を整列位置に対して横方向に押し出していた。
このような、捕捉爪Ｚ１は、デリバリードラムＺの回転軸線方向に対しては固定状態とするものとされる。
【０００４】
【発明が解決しようとする課題】
しかし、上述のように押し出し機構によって封筒を横方向に蹴り出した場合には、押し出し機構によって蹴り出される封筒側部に蹴跡が付き、製品の美観を損ねる可能性があるという問題があり、また、製袋速度が毎分６００枚程度と高速になった場合には、蹴り出し部の動作応答速度およびその動作による封筒の位置設定の正確さに限界があり、単位時間当たりの製袋数向上を意図した場合には、頭打ちになる可能性があるという問題があった。
さらに、所定数カウント時に、押し出し機構により封筒を横から蹴り出す際、製袋速度が毎分６００枚程度と高速になった場合には、押し出された封筒がつぶれてしまい整列位置の横方向への移動が行われない可能性があるという問題があった。
【０００５】
本発明は、上記の事情に鑑みてなされたもので、以下の目的を達成しようとするものである。
▲１▼蹴跡の付かない製袋機を提供すること。
▲２▼製袋速度および紙質に関わらず整列位置の移動を行ってカウントし、封筒の位置移動による所定数カウントにおける確実性を向上すること。
▲３▼作業性の向上を図ること。
【０００６】
【課題を解決するための手段】
上記した目的を達成するために、本発明に係る製袋機は、郵便用封筒などの袋体を連続的に形成して製袋する製袋機で、かつ製袋された袋体を、回転するデリバリードラムの回転方向の上流側周面に搬送し、該デリバリードラムの回転により、該デリバリードラムの外周に設けた保持手段にて保持して回転移送し、該デリバリードラムの回転方向下流側に設けられた整列台に整列するようにした製袋機において、該デリバリードラムの保持手段に、該保持手段にて保持される袋体をデリバリードラムの回転軸線方向にスライドするスライド部が設けられる。
そして前記製袋機において、保持手段に、この保持手段に保持される袋体を吸引する吸着孔を設けた。
また、保持手段を、デリバリードラムに配される挟持爪にて構成した。
保持手段には、デリバリードラムの回転軸線と略平行な切欠が配され、該切欠が、デリバリードラムの外周における接線方向に略平行な吸着面を有し、該吸着面にスライド部が配されて、該スライド部に吸着孔が開孔される。
前記デリバリードラムには、前記吸着孔により袋体を吸引させて止着する減圧手段と、かつ、整列台付近において袋体の止着を解除して吸着孔より気体を噴出して袋体を整列させる加圧手段とを具備する圧力切替手段が配される。
スライド部が、デリバリードラムの回転軸線方向にスライド自在として切欠内部に取り付けられ、その表面には、デリバリードラムの半径方向と略平行に貫通状態とされる複数の吸着穴が配され、吸着穴は、スライド部のスライド時にも、圧力切替手段に接続可能とされる。
スライド部には、デリバリードラムの側方にデリバリードラムの回転軸線と略平行に突出するブラケットが一体として接続され、該ブラケット先端には、カムフォロアが回転可能に取り付けられ、該カムフォロアが、デリバリードラムの回転軸方向の側方に配されたカムに当接してスライド部をデリバリードラムの回転軸方向にスライドさせる。
カムは、デリバリードラムの側面と略平行に位置する平板形状とされて、該カムの上側には、カムフォロアを導くためのデリバリードラムの回転方向とされる上方から下方に向かってデリバリードラム側に傾斜する傾斜部が設けられる。
カムには、封筒がデリバリードラムの整列位置に位置しカムがカムフォロアに当接しない状態と、カムに当接したカムフォロアによりスライド部がカムと逆側に押圧されて封筒がデリバリードラムの整列位置からカムと逆側に移動されて位置しカムがカムフォロアに当接する状態とを切替可能なカム位置設定部が配される。
とを図示しない制御部により切替可能なものとされる。
【０００７】
【発明の実施の形態】
以下、本発明に係る製袋機の一実施形態を、図面に基づいて説明する。
図１ないし図６において、符号Ｍは製袋機、Ｒは袋用紙、Ｂは袋体（封筒）、Ｃはカット部、１は給紙部、２は印刷部、３は乾燥部、４はカッタ部、５は折返貼付加工部、６は切離底貼部、７はデリバリー部である。
【０００８】
製袋機Ｍは、図１ないし図６に示すように、ロール状とされた連続する袋用紙Ｒを供給する給紙部１と、該袋用紙Ｒに例えば郵便番号枠あるいは社名等とされる印刷を施す印刷部２と、該印刷部により印刷された袋用紙Ｒを乾燥する乾燥部３と、該袋用紙Ｒからカット部Ｃを切り取って側折返部Ｂ１および底折返部Ｂ２を形成するカッタ部４と、該側折返部Ｂ１を折返線Ｌ１から折り返すとともに糊付けして貼り合わせる折返貼付加工部５と、該折り返された袋用紙Ｒを切断線Ｌ２から切断して底折返部Ｂ２を底折返線Ｌ３から折り返して底貼を行う切離底貼部６と、底貼りの行われた袋体（封筒）Ｂを整列するとともに製造数をカウントするデリバリー部７とを具備するものとされる。
【０００９】
給紙部１は、図１に示すように、製袋機Ｍの最上流に位置して、所定の幅寸法とされたロール状の袋用紙Ｒを連続的に供給するものとされ、この袋用紙Ｒの幅寸法としては、最小１２０ｍｍ程度を供給可能として設定される。
【００１０】
印刷部２は、図１に示すように、例えば黄，青，赤，黒色とされる印刷を袋用紙Ｒに行うものとされ、それぞれのインクに対応したインクタンク２１、中継ローラ２２、印刷ローラ２３および印刷ローラ２３の受けローラ２４とを具備する印刷ユニット２Ａが袋用紙Ｒの搬送方向に沿って複数配され、これらの印刷ユニット２Ａは選択的に印刷状態および非印刷状態を設定可能なものとされる。
【００１１】
乾燥部３は、図１に示すように、例えば袋用紙Ｒを内部に位置して乾燥するためのカバー３１と、該カバー３１の内部に空気を吹き込むためのブロア３２とを具備するものとされる。
【００１２】
カッタ部４は、図１に示すように、袋用紙Ｒから図７に示すカット部Ｃを切り取って側折返部Ｂ１および底折返部Ｂ２を形成するものとされ、カット部Ｃの形状に対応する刃形状とされて袋用紙Ｒの搬送方向に対して横設されるダイロール４１と、該ダイロール４１に対応して横設されて例えばセラミック製とされる棒状のアンビルロール４２と、切り取ったカット部Ｃを排出する図示しないダスト排出手段とを有するものとされ、ダイロール４１とアンビルロール４２とが複数の封筒Ｂ形状に対応して複数組設置可能なものとされる。
【００１３】
折返貼付加工部５は、図１に示すように、側折返部Ｂ１に糊付けを行うための例えばグルーノズル等を有する糊付け部５１と、カッタ部４により形成された側折返部Ｂ１を折り返すための折返線Ｌ１を刻設する筋付ローラ５２と、袋用紙Ｒを搬送する複数の搬送ローラ５３と、該搬送ローラ５３上に配され側折返部Ｂ１を折り返す折り板等の折返部５４と、折り返した袋用紙Ｒをプレスして貼り合わせるプレスローラ５５とを有するものとされる。
【００１４】
切離底貼部６は、図１に示すように、底折返部Ｂ２を折り返すための底折返線Ｌ３を刻設するための底筋ロール６１と、前記折返貼付加工部５により側折返部Ｂ１を貼り合わせた袋用紙Ｒを切断線Ｌ２から切り離すためのカッターロール６２と、底折返部Ｂ２に糊付けする例えば糊付けローラを有する底糊付け部６３と、底折返部Ｂ２を折り返す底折ドラム６４とを具備するものとされ、該底折ドラム６４は、その外周に軸線方向に配された吸着溝部に袋用紙Ｒの底折返線Ｌ３付近を吸着して、底折返部Ｂ２を折り返して張り合わせるものとされる。
【００１５】
デリバリー部７は、図１ないし図６に示すように、切離底貼部６により形成された封筒Ｂを回転移送するデリバリードラム７１と、該デリバリードラム７１により回転移送された封筒Ｂを整列する整列台７２と、形成された封筒Ｂをカウントする図示しないカウンターと、該カウンターにより所定数の封筒Ｂ搬送時に該封筒Ｂを整列位置に対して横方向に移動させるカウンター部８とを具備するものとされる。
【００１６】
デリバリードラム７１は、図２，図３に示すように、図示しない駆動手段に接続されて回転駆動される回転軸７１ａと、該デリバリードラム７１の外周７１Ａに封筒Ｂを保持して回転移送するための保持手段７３とを有するものとされ、該デリバリードラム７１の外周７１Ａには、整列台７２に設けられた剥離爪７２Ａに対応してその周方向に配されて例えば２筋とされる爪溝７１ｂが配される。
整列台７２は、デリバリードラム７１の下流側に位置されて、該整列台７２には、そのデリバリードラム７１側端部に、搬送されてきた封筒Ｂをデリバリードラム７１から剥離して該整列台７２に整列するための剥離爪７２Ａと、整列台７２上部に封筒Ｂを整列するための移動式イコール７２Ｂが配され、前記剥離爪７２Ａの先端は、図３に示すように、前記爪溝７１ｂ内部に、かつ後述の切欠７４の底部よりデリバリードラム７１の回転軸７１ａよりに位置される。
保持手段７３は、図２，図３に示すように、デリバリードラム７１の外周７１Ａに例えば等間隔に４箇所とされて回転軸７１ａと略平行状態に配される切欠７４と、該切欠７４内部に位置してデリバリードラム７１の半径方向に開けられた複数の吸着孔７５と、該吸着孔７５に接続される圧力切替手段７６とを有するものとされる。
切欠７４は、デリバリードラム７１の外周７１Ａにおける接線方向に平行状態として配される吸着面７４ａと、該吸着面７４ａの搬送方向前側に位置してデリバリードラム７１の半径方向に平行状態として配されて回転移送される封筒Ｂの底が当接する底止面７４ｂとを有する形状とされる。
吸着孔７５は、前記吸着面７４ａに例えば回転軸７１ａの軸線方向に間隔をあけて複数配され、かつ、デリバリードラム７１の側面７１Ｂに開けられた圧力切替孔７５Ａにデリバリードラム７１の内部に設けられた管部７５ａにより接続される。
圧力切替手段７６は、図２，図３に示すように、デリバリードラム７１の側面７１Ｂの外周側に位置して圧力切替孔７５Ａが配される当接部７１Ｃと、該当接部７１Ｃに当接した状態とされて図示しない加圧手段と減圧手段に接続される圧力切替ノズル７７とを具備するものとされる。
圧力切替ノズル７７は、減圧ノズル７７Ａと加圧ノズル７７Ｂとが一体とされた構成とされて、デリバリードラム７１の側面７１Ｂに設けられる圧力切替孔７５Ａの回転軌跡に沿ってその一部を覆うようにデリバリードラム７１の回転軸７１Ａから等距離の位置に配され、かつ付勢手段７７Ｃによりデリバリードラム７１の側面７１Ｂの当接部７１Ｃに付勢される。
該圧力切替ノズル７７において、デリバリードラム７１の当接部７１Ｃへの当接側は、図３に示すように、切欠７４が封筒Ｂを固定して搬送開始時に圧力切替孔７５Ａが位置するデリバリードラム７１の垂直上側位置から回転搬送方向下流位置にかけて減圧ノズル７７Ａ部分とされ、切欠７４が整列台７２付近に位置する搬送封筒Ｂの終了時に圧力切替孔７５Ａが位置する減圧ノズル７７Ａの端部付近から回転搬送方向下流位置が加圧ノズル７７Ｂ部分とされて、それぞれの当接面側の周囲には図示しないパッキン等の密閉手段が配され、減圧ノズル７７Ａが管７７ａを介して減圧手段に接続され、加圧ノズル７７Ｂが管７７ｂを介して加圧手段に接続され、該圧力切替ノズル７７は、管７７ａ，７７ｂの接続される固定位置調節手段７７ｃにより、デリバリードラム７１の回転方向に対して固定位置を調節可能なものとされる。
【００１７】
カウンター部８は、図２ないし図５に示すように、切欠７４の吸着面７４ａに配されるスライド部８１と、該スライド部８１と一体に接続されてデリバリードラム７１の側方に回転軸７１ａと略平行状態として突出状態とされるブラケット８２と、該ブラケット８２先端に位置してデリバリードラム７１の回転方向に回転可能に取り付けられるカムフォロア８３と、該カムフォロア８３に当接してスライド部８１を回転軸７１ａ方向にスライドさせるカム８４と、該カム８４のカムフォロア８３への当接状態を設定するためのカム位置設定部８５と、図示しない制御部とを具備するものとされる。
スライド部８１は、ネジ８１ａ等で固定される長孔８１ｂによりスライド自在として切欠７４内部に取り付けられ、その表面には、デリバリードラム７１の半径方向と略平行に貫通状態とされる複数の吸着孔７５と、スライド部８１のスライド時にも剥離爪７２Ａが回転するデリバリードラム７１の爪溝７１ｂ内部を移動可能にする爪溝８１ｃとが配される。吸着孔７５は、スライド部８１のスライド時にも、管部７５ａに接続可能とされる。
ブラケット８２には、図４に示すように、スライド部８１をカム８４側へと付勢するバネ等の付勢手段が配される。
カム８４は、図２ないし図５に示すように、デリバリードラム７１の側面７１Ｂと略平行に位置する平板形状とされて、該カム８４の上側には、カムフォロア８３を導くための上方から下方に向かってデリバリードラム７１側に傾斜する傾斜部８４Ａが設けられる。
カム位置設定部８５は、カム８４の移動位置を設定しカム８４を支持するガイド８５Ａと、例えばソレノイドとされる図示しない駆動部とを具備するものとされ、図４に示すように、ブラケット８２の付勢手段によりスライド部８１が付勢されてカム８４側に位置して、封筒Ｂがデリバリードラム７１の整列位置に位置する、カム８４がカムフォロア８３に当接しない状態と、図５に示すように、カム８４に当接したカムフォロア８３によりスライド部がカム８４と逆側に押圧されて、封筒Ｂがデリバリードラム７１の整列位置からカム８４と逆側に移動されて位置している、カム８４がカムフォロア８３に当接した状態とを図示しない制御部により切替可能なものとされる。
【００１８】
このような構成の製袋機Ｍにおいては、給紙部１により、所定の幅寸法とされたロール状の袋用紙Ｒを連続的に供給し、印刷部２により、例えば黄，青，赤，黒色とされる印刷を袋用紙Ｒに行い、乾燥部３により、印刷部２により印刷された袋用紙Ｒをカバー３１内部に位置して、ブロア３２により該カバー３１の内部に空気を吹き込み袋用紙ｒを乾燥し、カッタ部４のダイロール４１とアンビルロール４２とにより、袋用紙Ｒからカット部Ｃを切り取って側折返部Ｂ１および底折返部Ｂ２を形成し、折返貼付加工部５では、糊付部５１により、折り返す側折返部Ｂ１に糊付けを行い、筋付ローラ５２により、カッタ部４で形成された側折返部Ｂ１を折り返すための折返線Ｌ１を刻設して、搬送ローラ５３により袋用紙Ｒを搬送するとともに該搬送ローラ５３上に配される折返部５４により側折返部Ｂ１を折り返し、プレスローラ５５により折り返した袋用紙Ｒをプレスして貼り合わせ、切離底貼部６では、底筋ロール６１により底折返部Ｂ２を折り返すための底折返線Ｌ３を刻設し、カッターロール６２により側折返部Ｂ１を貼り合わせた袋用紙Ｒを切断線Ｌ２から切り離し、底糊付部６３により底折返部Ｂ２に糊付けして、底折ドラム６４により底折返部Ｂ２を折り返して張り合わせて封筒Ｂを形成する。
【００１９】
形成された封筒Ｂは、デリバリー部７のデリバリードラム７１により回転移送されて整列台７２に整列される。
この際、減圧ノズル７７Ａが管７７Ｃを介して減手段に接続されて、切替ノズル７７が、付勢手段７７ａによりデリバリードラム７１の側面の当接部７１Ｃに付勢されているために、減圧ノズル７７Ａ内部が負圧状態となっており、また、加圧ノズル７７Ｂが管７７ｂを介して加圧手段に接続されて、切替ノズル７７が、付勢手段７７Ｃによりデリバリードラム７１の側面の当接部７１Ｃに付勢されているために、加圧ノズル７７Ｂ内部が加圧状態となっている。
デリバリー部７による整列時においては、図６（ａ）に示すように、デリバリードラム７１が、切離底貼部６による封筒Ｂの搬送時に、保持手段７３の切欠７４がその頂上位置に位置された状態とされる。
この状態では、デリバリードラム７１の側面７１Ｂに設けられる圧力切替孔７５Ａが、切替ノズル７７の減圧ノズル７７Ａ部分に位置しており、切欠７４の吸着孔７５が、デリバリードラム７１の内部に設けられた管部７５ａと、デリバリードラム７１の側面７１Ｂに開けられた圧力切替孔７５Ａとを介して、減圧ノズル７７Ａ内部の負圧状態に接続されているため、図６（ｂ）に示すように、吸着孔７５により封筒Ｂが切欠７４に吸着されて、封筒Ｂの底部が切欠７４の底止面７４ｂに当接状態として固定される。
次いで、図６（ｃ）に示すように、デリバリードラム７１が回転する際にも、圧力切替孔７５Ａが、切替ノズル７７の減圧ノズル７７Ａ部分に位置しているために、封筒Ｂはデリバリードラム７１の回転に従って回転移送される。
デリバリードラム７１の回転に従って、図６（ｄ）に示すように、圧力切替孔７５Ａが、切替ノズル７７の加圧ノズル７７Ｂ部分に位置した場合には、切欠７４の吸着孔７５が、デリバリードラム７１の内部に設けられた管部７５ａと、デリバリードラム７１の側面７１Ｂに開けられた圧力切替孔７５Ａとを介して、加圧ノズル７７Ｂ内部の加圧状態に接続されるために、該吸着孔７５への空気の噴出が開始される。また、このとき、次に切離底貼部６で形成された封筒Ｂが、デリバリードラム７１の頂上付近に位置された切欠７４に固定される。
そして、図６（ｅ）に示すように、封筒Ｂは、前記爪溝７１ｂ内部に位置されるている剥離爪７２Ａの先端により、デリバリードラム７１から剥離されて整列台７２上に位置されるとともに、吸着孔７５から噴出した空気により切欠７４に対する封筒Ｂの固定が解除されて、封筒Ｂが整列台７２の移動式イコール７２Ｂ側に移動することとなる。
さらに、図６（ｆ）に示すように、連続的に切離底貼部６により形成された封筒Ｂを連続的に整列台７２上に並べることにより、封筒Ｂの整列がおこなわれ、同時に、図示しないカウンターにより整列した封筒Ｂの枚数をカウントする。
【００２０】
上述した封筒Ｂの整列時には、図４に示すように、カム８４がカムフォロア８３に当接しない状態となっているため、カウンター部８のスライド部８１が、ブラケット８２の付勢手段８２Ａにより付勢されてカム８４側に位置する状態となり、封筒Ｂがデリバリードラム７１の整列位置に位置する。
図示しないカウンターにより予め設定された所定数の封筒Ｂが整列された場合には、デリバリードラム７１の回転中に、図示しない制御部によりカム位置設定部８５の例えばソレノイドとされる駆動部により、カム８４を駆動してデリバリードラム７１側に突出し、カムフォロア８３に当接する位置とする。
すると、図５に示すように、デリバリードラム７１の回転に従ってカムフォロア８３が回転し、該カムフォロア８３が、突出したカム８４の傾斜部８４Ａに当接した後、カム８４の形状に沿って移動することにより、ブラケット８２が付勢手段８２Ａの付勢力に打ち勝ってカム８４と反対側に移動する。
このブラケット８２の移動に伴って、該ブラケット８２と一体とされたスライド部８１が、長孔８１ｂの形状に従って同方向に移動する。このとき、吸着孔７５は、スライド部８１のスライド位置においても管部７５ａと接続状態とされるため、該スライド部８１のスライドと同時に、図５に示すように、吸着孔７５により固定された封筒Ｂがカム８４と反対側の位置に移動する。
この状態において、デリバリードラム７１が回転し、図６（ｅ）に示すように、封筒Ｂは、前記爪溝７１ｂまたは爪溝８１ｃ内部に位置されている剥離爪７２Ａの先端により、デリバリードラム７１から剥離されて整列台７２上に位置されるとともに、吸着孔７５から噴出した空気により切欠７４に対する封筒Ｂの固定が解除されて、封筒Ｂが整列台７２の移動式イコール７２Ｂ側に移動するために、該封筒Ｂは整列位置とされた封筒Ｂよりも、横方向に１枚だけ突出することとなり、その結果、予め設定された所定数毎に整列された封筒Ｂが横方向に突出し、集積出荷等を行うことができる。
【００２１】
なお、図８に示すような、捕捉爪Ｚ１により封筒Ｂを挟持し、該捕捉爪をスライドさせるスライド部を有する構成とすることも可能である。
【００２２】
【発明の効果】
本発明の製袋機によれば、以下の効果を奏する。
（１）所定数カウント時に、スライド部表面の吸着孔により吸着状態とされた袋体をスライド部ごと移動して、スライド部の移動量により封筒の移動位置が設定されるため、封筒の位置移動による所定数カウントにおける確実性を向上することができる。
（２）スライド部の吸着孔により袋体を吸引して止着し、この該吸着孔による袋体の吸着状態においてスライド部を袋体ごと移動して、該吸着孔による袋体の止着を解除するとともにかつ吸着孔から空気を吹き出して袋体の所定数カウントを行うため、製袋速度および紙質に関わらず整列位置の移動を行ってカウントを行い、蹴跡の付かない製袋機を提供することができる。
（３）上記により、作業性の向上を図ることができる。
【図面の簡単な説明】
【図１】  本発明に係る製袋機の一実施形態を示す概略説明図である。
【図２】  図１の製袋機におけるデリバリー部を示す斜視図である。
【図３】  図１の製袋機におけるデリバリー部を示す正面図である。
【図４】  図２のデリバリー部のデリバリードラムおよびカウンター部における封筒の整列状態を示す展開図である。
【図５】  図２のデリバリー部のデリバリードラムおよびカウンター部における封筒のカウント状態を示す展開図である。
【図６】  図２のデリバリー部におけるデリバリー工程を示す工程正面図である。
【図７】  従来の製袋機における封筒の製袋方法を示す平面図である。
【図８】  従来の製袋機のデリバリー部を示す斜視図である。
【符号の説明】
Ｍ…製袋機
Ｒ…袋用紙
Ｂ…袋体（封筒）
Ｂ１…側折返部
Ｂ２…底折返部
Ｃ…カット部
Ｌ１…折返線
Ｌ２…切断線
Ｌ３…底折返線
１…給紙部
２…印刷部
２Ａ…印刷ユニット
２１…インクタンク
２２…中継ローラ
２３…印刷ローラ
２４…受けローラ
３…乾燥部
３１…カバー
３２…ブロア
４…カッタ部
４１…ダイロール
４２…アンビルロール
５…折返貼付加工部
５１…糊付部
５２…筋付ローラ
５３…搬送ローラ
５４…折返部
５５…プレスローラ
６…切離底貼部
６１…底筋ロール
６２…カッターロール
６３…底糊付部
６４…底折ドラム
７…デリバリー部
７１…デリバリードラム
７１Ａ…外周
７１Ｂ…側面
７１Ｃ…当接部
７１ａ…回転軸
７１ｂ…爪溝
７２…整列台
７２Ａ…剥離爪
７２Ｂ…移動式イコール
７３…保持手段
７４…切欠
７４ａ…吸着面
７４ｂ…底止面
７５…吸着孔
７５ａ…管部
７５Ａ…圧力切替孔
７６…圧力切替手段
７７…圧力切替ノズル
７７Ａ…減圧ノズル
７７Ｂ…加圧ノズル
７７Ｃ…付勢手段
７７ａ，７７ｂ…管
８…カウンター部
８１…スライド部
８１ａ…ネジ
８１ｂ…長孔
８１ｃ…爪溝
８２…ブラケット
８２Ａ…付勢手段
８３…カムフォロア
８４…カム
８４Ａ…傾斜部
８５…カム位置設定部
８５Ａ…ガイド
【図１】
0003766965.tif 000002
【図２】
0003766965.tif 000003
【図３】
0003766965.tif 000004
【図４】
0003766965.tif 000005
【図５】
0003766965.tif 000006
【図６】
0003766965.tif 000007
【図７】
0003766965.tif 000008
【図８】
0003766965.tif 000009